(57)【要約】【課題】昇降棚が収容されるケースを構成する木質板に反りが生じにくい、昇降収納装置を提案する。【解決手段】本発明に係る昇降収納装置（１）は、上位置と下位置との間で昇降自在な昇降棚（２）と、上位置にあるときの昇降棚（２）が収納される収納スペース（３０）を内側に有する収納ケース（３）と、収納スペース（３０）を加熱して乾燥させる乾燥装置（４）と、を備える。収納ケース（３）は、木質板（３１）を含む。木質板（３１）の収納スペース（３０）側の面には、スリット（５）が設けられている。【選択図】図１
2017202240.tif 000002
【特許請求の範囲】
【請求項１】
上位置と下位置との間で昇降自在な昇降棚と、
前記上位置にあるときの前記昇降棚が収納される収納スペースを内側に有する収納ケースと、
前記収納スペースを加熱して乾燥させる乾燥装置と、を備え、
前記収納ケースは、木質板を含み、
前記木質板の前記収納スペース側の面には、スリットが設けられていることを特徴とする昇降収納装置。
【請求項２】
前記収納ケースの正面を構成する前板が、前記木質板であり、
前記前板の背面には、前記スリットが複数設けられていることを特徴とする請求項１に記載の昇降収納装置。
【発明の詳細な説明】
【技術分野】
【０００１】
本発明は、昇降収納装置に関する。
【背景技術】
【０００２】
特許文献１には、食器の収容が可能な昇降棚と、上昇位置にあるときの昇降棚が収納される外部ケースと、外部ケースの内部に設けられて昇降棚の乾燥を行う温風供給部を備えた装置が記載されている。
【先行技術文献】
【特許文献】
【０００３】
【特許文献１】特開２００１−８７２０６号公報
【発明の概要】
【発明が解決しようとする課題】
【０００４】
特許文献１に記載の装置のように、外部ケースの内部で昇降棚の乾燥を行う装置では、外部ケースを木質板で形成した場合、木質板の内面側と外面側とで温度や湿度の環境が違うため、収縮率の違いにより、木質板に反りが生じやすい。
【０００５】
そこで、本発明の目的は、昇降棚が収納されるケースを構成する木質板に反りが生じにくい、昇降収納装置を提案すること、とする。
【課題を解決するための手段】
【０００６】
本発明に係る一態様の昇降収納装置は、上位置と下位置との間で昇降自在な昇降棚と、前記上位置にあるときの前記昇降棚が収納される収納スペースを内側に有する収納ケースと、前記収納スペースを加熱して乾燥させる乾燥装置と、を備える。
【０００７】
前記収納ケースは、木質板を含む。前記木質板の前記収納スペース側の面には、スリットが設けられている。
【発明の効果】
【０００８】
本発明に係る昇降収納装置は、昇降棚が収納されるケースを構成する木質板に反りが生じにくい。
【図面の簡単な説明】
【０００９】
【図１】図１Ａは、本発明に係る実施形態１の昇降収納装置を示す正面図であり、昇降棚が下位置にあるときの図である。図１Ｂは、同上の昇降収納装置の収納ケースの前板を背面側から視たときの斜視図である。
【図２】図２は、同上の昇降収納装置を示す側断面図であり、昇降棚が上位置にあるときの図である。
【発明を実施するための形態】
【００１０】
本発明は、一般に、昇降収納装置に関し、より詳細には、昇降棚、収納ケース、及び乾燥装置を備える昇降収納装置に関する。
【００１１】
（実施形態１）
図１Ａには、本発明に係る実施形態１の昇降収納装置１が示されている。昇降収納装置１は、上位置と下位置との間で昇降自在な昇降棚２と、上位置にあるときの昇降棚２が収納される収納スペース３０を内側に有する収納ケース３と、収納スペース３０を加熱して乾燥させる乾燥装置４を備える。
【００１２】
図１Ａでは、昇降棚２は、下位置に位置している。下位置にあるときに、昇降棚２は、収納ケース３から下方に突出する。昇降棚２は、開口を有する箱状であり、この開口が、皿等の食器類の出し入れ口となっている。以下では、昇降棚２の開口方向を前方とし、その反対側を後方とし、この前後方向に対して平面視において直交する方向を左右方向として、各構成について説明する。各図において、矢印Ｘで示す方向が前方であり、矢印Ｙで示す方向が右方であり、矢印Ｚで示す方向が上方である。
【００１３】
収納ケース３は、下方に開口した箱状である。収納ケース３は、木質板３１を含み、木質板３１の収納スペース３０側の面には、スリット５が設けられている。木質板３１は、合板、パーティクルボード、中密度繊維板、及び無垢材のいずれか、または、その組み合わせの積層体である。本実施形態では、収納ケース３の正面を構成する前板３２が、木質板３１である。
【００１４】
図１Ａ及び図２に示すように、収納ケース３は、前板３２、後板３３、左右一対の側板３４、天板３５、及び幕板３６を備える。前板３２、後板３３、左右一対の側板３４、天板３５、及び幕板３６は、下方に開口した箱状に組み合わさっており、収納スペース３０を囲むように位置する。
【００１５】
前板３２は、左右方向を長手方向とし、上下方向を短手方向とし、前後方向を厚み方向とする、矩形板状である。前板３２は、左右の側板３４に比べて大きく、収納ケース３のうち目立ちやすい部分である。
【００１６】
図１Ｂに示すように、前板３２の後面（背面）には、スリット５が複数設けられている。複数のスリット５のそれぞれは、前板３２の後面に上下方向の全長に亘って位置する。複数のスリット５は、左右方向に等間隔に離れて位置し、互いに平行である。複数のスリット５は、前板３２の後面に左右方向の全長に亘って位置する。複数のスリット５のそれぞれの深さ（前後長さ）は、前板３２の厚みの半分程度である。
【００１７】
図１Ａ及び図２に示すように、前板３２の下方には、幕板３６が位置している。幕板３６は、収納ケース３の正面（前面）のうちの下端部を構成し、前板３２は、収納ケース３の正面（前面）のうちの下端部を除いた部分を構成する。幕板３６は、金属製であり、例えば、アルミニウム製である。幕板３６は、本実施形態では、角筒状であり、長手方向の長さ（左右方向の長さ）が、前板３２の長手方向の長さと同じである。
【００１８】
後板３３、左右一対の側板３４、及び天板３５のそれぞれは、矩形板状であり、収納スペース３０側の面がフラットである。後板３３、左右一対の側板３４、及び天板３５のそれぞれは、樹脂製や金属製の板材あるいは、木質板３１と同様の木質の板材である。
【００１９】
昇降棚２は、板状の棚部２０と、棚部２０の左右の端部と一体の左右一対の側壁部２１と、棚部２０の後端部と一体の後壁部２２とを備える。左右一対の側壁部２１と、後壁部２２のそれぞれは、板状であり、昇降棚２は、前方と上方に開口している。なお、昇降棚２は、後方や側方にも開口してもよい。
【００２０】
昇降棚２は、棚部２０上に複数の食器類が収容可能である。棚部２０上には、例えば、水切りかごが設置され、この水切りかごに、複数の食器類が乾燥させやすい起立姿勢で収容される。
【００２１】
乾燥装置４は、本実施形態では、ヒーターとファンを有する温風供給装置４０であり、天板３５の下面に設けられている。
【００２２】
温風供給装置４０は、下方に向けて温風を吹き出す吹出口４１と、収納スペース３０内の空気を吸い込む吸込口４２とを有する。吹出口４１は、天板３５のうちの左右方向の中央部の後寄りの部分に位置し、吸込口４２は、天板３５のうちの右側の端部の後寄りの部分に位置する。
【００２３】
昇降収納装置１は、昇降棚２を昇降させる昇降装置６と、照明装置７と、これらの装置６，７を操作するための操作部８，９をさらに備える。
【００２４】
昇降装置６は、天板３５の下面に設けられている。昇降装置６としては、周知の昇降装置が採用可能であり、例えば、昇降棚２に取り付けた索を、巻き取りドラムで巻き取ったり繰り出したりすることで、昇降棚２を昇降させる装置である。
【００２５】
照明装置７は、幕板３６の後面に設けられている。照明装置７としては、発光ダイオード等の周知の照明装置が採用可能である。
【００２６】
操作部８は、幕板３６の前面に設けられている。操作部８には、昇降棚２を昇降・停止させる昇降ボタンと、乾燥装置４を駆動・停止させる乾燥ボタンと、照明装置７を点灯・消灯させる照明ボタンとが設けられている。
【００２７】
操作部９は、昇降棚２の棚部２０の前面に設けられている。操作部９には、操作部８と同様の昇降ボタンと照明ボタンが設けられている。操作部９は、昇降棚２が上位置にあるときには、幕板３６に後方に位置して隠れるため、操作不可となる。
【００２８】
図２に示すように、昇降収納装置１は、台所の調理台１０の上方に設置される。本実施形態では、昇降収納装置１は、調理台１０の後上方の壁１１に後板３３が当たり、天井１２に天板３５が当たるように設置されている。
【００２９】
続いて、昇降収納装置１の利用方法の一例について説明する。
【００３０】
利用者により操作部８の昇降ボタンが操作されることによって、昇降棚２は、図２に示す上位置から図１Ａに示す下位置へと移動する。
【００３１】
昇降棚２が下位置にあるときに、利用者は、昇降棚２に正面側から、皿等の食器類を収納することができる。その後、利用者により操作部８または操作部９の昇降ボタンが操作されることによって、昇降棚２は、図２に示す上位置に移動して、収納ケース３の内側の収納スペース３０に収納される。
【００３２】
次いで、利用者により操作部８の乾燥ボタンが操作されると、乾燥装置４が駆動して、昇降棚２に収容された食器類が乾燥される。なお、乾燥装置４は、利用者により操作部８または操作部９の昇降ボタンが操作されて、昇降棚２が下位置から上位置へ移動したときに、自動的に駆動するように設定されていてもよい。
【００３３】
乾燥装置４は、駆動開始から一定時間経過後に、自動的に停止して、食器類の乾燥を完了する。
【００３４】
次いで、利用者により操作部８の昇降ボタンが操作されることによって、昇降棚２は、上位置から下位置へと移動する。下位置にあるときの昇降棚２からは、乾燥させた食器類が抜き出し可能である。
【００３５】
以上説明した昇降収納装置１では、木質板からなる前板３２の背面に複数のスリット５が設けられているため、前板３２の背面部分が乾燥装置４の熱により乾燥して収縮しても、この熱収縮の作用が背面全体に及ぶことを、各スリット５で遮断することができる。そのため、昇降収納装置１では、比較的大きくて目立ちやすい前板３２に、反りが生じることを抑制することができる。
【００３６】
また、前板３２の後面（背面）の全体に亘るように複数のスリット５が設けられているため、前板３２は全体的に反りが生じにくくなっている。
【００３７】
また、前板３２の後面（背面）にスリット５を設けることで、前板３２の後面（背面）に反りの発生を防止するための部材を別途取り付ける必要がないため、昇降収納装置１の構造の簡素化が図れ、かつ収納スペース３０を広く確保することができる。
【００３８】
（変更例）
以上説明した実施形態１の昇降収納装置１は、下記の変更例を採用可能である。
【００３９】
昇降棚２の昇降する方向は、鉛直方向に限らず、下位置が上位置の前斜め下の位置であってもよい。この場合、前板３２は、昇降棚２の昇降の妨げとならないように、移動可能に設けられる。
【００４０】
乾燥装置４は、ファンを有さず、ヒーターのみで構成されてもよい。
【００４１】
乾燥装置４は、収納スペース３０を加熱して乾燥させるように設けられればよく、収納ケース３の内側に限らず、収納ケース３の外側に設けられてもよい。
【００４２】
板３３，３４，３５，３６のそれぞれは、前板３２と同様に、収納スペース３０側の面にスリット５が設けられた木質板３１であってもよい。
【００４３】
前板３２の後面（背面）には、複数のスリット５が、左右方向が長手方向となるように設けられてもよいし、格子状に設けられてもよい。
【００４４】
（効果）
以上述べた実施形態１及びその変更例のように、本発明に係る第１の態様の昇降収納装置（１）は、昇降棚（２）と、収納ケース（３）と、乾燥装置（４）とを備える。昇降棚（２）は、上位置と下位置との間で昇降自在である。収納ケース（３）は、上位置にあるときの昇降棚（２）が収納される収納スペース（３０）を内側に有する。乾燥装置（４）は、収納スペース（３０）を加熱して乾燥させる。
【００４５】
収納ケース（３）は、木質板（３１）を含む。木質板（３１）の収納スペース（３０）側の面には、スリット（５）が設けられている。
【００４６】
第１の態様によれば、乾燥装置（４）による加熱によって収納スペース（３０）の温度が上がった際に、木質板（３１）の収納スペース（３０）側の面が乾燥して収縮しても、この熱収縮の作用が面全体に及ぶことを、スリット（５）で遮断することができる。これにより、第１の態様によれば、昇降棚（２）が収容される収納ケース（３）を構成する木質板（３１）に反りが生じにくい。
【００４７】
また、実施形態１及びその変更例のように、本発明に係る第２の態様の昇降収納装置（１）では、第１の態様において、下記の構成を付加的に備える。
【００４８】
すなわち、本発明に係る第２の態様の昇降収納装置（１）では、収納ケース（３）の正面を構成する前板（３２）が、木質板（３１）である。前板（３２）の背面に、スリット（５）が複数設けられている。
【００４９】
第２の態様によれば、収納ケース（３）の正面を構成する比較的目立ちやすい前板（３２）の反りの発生を抑制でき、収納ケース（３）の外観の低下を効果的に抑制することができる。
【００５０】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００５１】
１      昇降収納装置
２      昇降棚
３      収納ケース
３０    収納スペース
３１    木質板
３２    前板
４      乾燥装置
５      スリット
【図１】
2017202240.tif 000003
【図２】
2017202240.tif 000004